(57)【要約】【課題】配線方法に柔軟性を持たせ、配線作業の効率化を高める。【解決手段】本発明は、複数極の端子２，３同士が互いに接続可能なように設けられた端子台１であって、複数極の端子２，３のうちの一方側の端子２が設けられたターミナルベース４と、複数極の端子２，３のうちの他方側の端子３が設けられたターミナルコネクタ５と、を備え、ターミナルコネクタ５は複数に分割され、該分割されたそれぞれのターミナルコネクタ５ａ、５ｂ、５ｃがターミナルベース４に結合及び分離自在に設けられていることを特徴とする。【選択図】図２
2012064361.tif 000002
【特許請求の範囲】
【請求項１】
複数極の端子同士が互いに接続可能なように設けられた端子台であって、
前記複数極の端子のうちの一方側の端子が設けられたターミナルベースと、
前記複数極の端子のうちの他方側の端子が設けられたターミナルコネクタと、
を備え、前記ターミナルコネクタは複数に分割され、該分割されたそれぞれのターミナルコネクタが前記ターミナルベースに結合及び分離自在に設けられていることを特徴とする端子台。
【請求項２】
前記複数に分割されたそれぞれのターミナルコネクタは、前記各極の端子毎に形成されたコネクタユニットを複数個連結すると共にその左右両端部にエンドプレートを連結することにより構成され、該各エンドプレートには前記ターミナルベースに掛止可能な固定手段がそれぞれ設けられていることを特徴とする請求項１に記載の端子台。
【発明の詳細な説明】
【技術分野】
【０００１】
本発明は、端子台に関し、特に、一方側の端子が設けられたターミナルベースに対して、他方側の端子が設けられたターミナルコネクタが結合及び分離自在に設けられた分離式の端子台に関するものである。
【背景技術】
【０００２】
一般に、分電盤や制御盤などにおいて、電線の接続、分岐、中継を目的として端子台が使用されている。
【０００３】
従来の端子台は、複数極の端子を有し、各極の端子同士が互いに接続可能なように配設されて構成されており、各端子にはそれぞれ電気配線が端子ねじによって締結されるようになっている（例えば、特許文献１参照）。
【０００４】
ところが、この種の従来の端子台では、端子に電気配線を接続したり或いは取り外したりする場合、端子ねじを１つずつ締結したり或いは緩めたりする必要があり、非常に手間が掛かるといった問題があった。
【０００５】
そこで、この種の問題を解決するため、近年では、一方側の端子が設けられたターミナルベースに対して、他方側の端子が設けられたターミナルコネクタを結合及び分離自在となるように構成した分離式の端子台が提案されている（例えば、特許文献２参照）。
【先行技術文献】
【特許文献】
【０００６】
【特許文献１】特開平７−１６１２７９号公報
【特許文献２】特開平１０−２２３２８８号公報
【発明の概要】
【発明が解決しようとする課題】
【０００７】
しかしながら、上記した従来の分離式の端子台では、ターミナルベースとターミナルコネクタは互いに同じ極数の端子を有するもの同士でしか結合及び分離ができないため、配線方法が制限されると共に、配線作業の効率化を高めることが難しいといった問題が生じていた。
【０００８】
本発明は、上記した課題を解決すべくなされたものであり、配線方法に柔軟性を持たせることができ、配線作業の効率化を高めることのできる端子台を提供することを目的とするものである。
【課題を解決するための手段】
【０００９】
上記した目的を達成するため、本発明は、複数極の端子同士が互いに接続可能なように設けられた端子台であって、前記複数極の端子のうちの一方側の端子が設けられたターミナルベースと、前記複数極の端子のうちの他方側の端子が設けられたターミナルコネクタと、を備え、前記ターミナルコネクタは複数に分割され、該分割されたそれぞれのターミナルコネクタが前記ターミナルベースに結合及び分離自在に設けられていることを特徴とする。
【００１０】
そして、本発明に係る端子台において、前記複数に分割されたそれぞれのターミナルコネクタは、前記各極の端子毎に形成されたコネクタユニットを複数個連結すると共にその左右両端部にエンドプレートを連結することにより構成され、該各エンドプレートには前記ターミナルベースに掛止可能な固定手段がそれぞれ設けられていることを特徴とする。
【発明の効果】
【００１１】
本発明によれば、ターミナルベースとターミナルコネクタが異なる極数の端子を有するもの同士でも結合及び分離ができるため、配線方法に柔軟性を持たせることができ、ターミナルコネクタ側の電線を自由にアッセンブリすることができることにより、配線作業の効率化を図り、コスト削減を達成することができる等、種々の優れた効果を得ることができる。
【図面の簡単な説明】
【００１２】
【図１】本発明の実施の形態に係る端子台の一例を示す斜視図である。
【図２】図１の端子台においてターミナルコネクタをターミナルベースから分離させた状態を示す斜視図である。
【図３】本発明の実施の形態に係る端子台の別の例を示す平面図である。
【図４】図３の端子台においてターミナルコネクタをターミナルベースから分離させた状態を示す平面図である。
【図５】本発明の実施の形態に係る端子台のターミナルベースのベースユニットを示す側面図である。
【図６】本発明の実施の形態に係る端子台のエンドプレートを示す側面図である。
【図７】本発明の実施の形態に係る端子台の中間プレートを示す側面図である。
【図８】本発明の実施の形態に係る端子台のターミナルコネクタのコネクタユニットを示す側面図である。
【発明を実施するための形態】
【００１３】
以下、図面を参照しつつ、本発明の実施の形態に係る端子台について説明する。なお、端子台は設置された向きや角度によって上下、前後及び左右の向きが異なるが、便宜上、図１及び図２では、図示手前側を前側、図示奥側を後側とし、上下左右の向きについては図示された向きの通りとし、図３及び図４では、図示手前側を上側、図示奥側を下側、図示下側を前側、図示上側を後側とし、左右の向きについては図示された通りとし、図５〜図７では、図示手前側を左側、図示奥側を右側、図示右側を前側、図示左側を後側とし、上下の向きについては図示された通りとして説明する。
【００１４】
本発明の実施の形態に係る端子台１は、複数極の端子２，３同士が互いに接続可能なように設けられて構成されており、複数極の端子２，３のうちの一方側の端子２が設けられたターミナルベース４と、複数極の端子２，３のうちの他方側の端子３が設けられたターミナルコネクタ５とを備えている。そして、ターミナルコネクタ５は複数に分割されており、分割された各ターミナルコネクタ５ａ，５ｂ，５ｃはターミナルベース４に対してそれぞれ結合及び分離自在に設けられている。
【００１５】
図１及び図２は、２極の端子３を備えた２極用ターミナルコネクタ５ａと、３極の端子３を備えた３極用ターミナルコネクタ５ｂと、９極の端子３を備えた９極用ターミナルコネクタ５ｃとに３分割されたターミナルコネクタ５が、１４極の端子２を備えた１４極用ターミナルベース４ａに対して結合及び分離自在に設けられた例を示しており、また、図３及び図４は、２極用ターミナルコネクタ５ａと、３極用ターミナルコネクタ５ｃとに２分割されたターミナルコネクタ５が、５極の端子２を備えた５極用ターミナルベース４ｂに対して結合及び分離自在に設けられた例を示している。
【００１６】
図１及び図２に示されているように、１４極用ターミナルベース４ａは、２極用ターミナルコネクタ５ａと３極用ターミナルコネクタ５ｂと９極用ターミナルコネクタ５ｃの各極の端子３に対応するようにベースユニット６をそれぞれ連設すると共に、その左右両端部にそれぞれターミナルベース用左側エンドプレート７及びターミナルベース用右側エンドプレート８を連設した状態でレール１０に固定することにより一体化され、また、５極用ターミナルベース４ｂは、２極用ターミナルコネクタ５ａと３極用ターミナルコネクタ５ｃの各極の端子３に対応するようにベースユニット６をそれぞれ連設すると共に、その左右両端部にそれぞれターミナルベース用左側エンドプレート７及びターミナルベース用右側エンドプレート８を連設した状態でレール１０に固定することにより一体化されている。
【００１７】
図５に示されているように、ベースユニット６には、前側左側面に前記一方側の端子２を収容するための端子収容凹部１１が形成されており、後側に後述するコネクタユニット２９を収容可能なコネクタユニット収容空間１２が形成されている。そして、一方側の端子２は、先端を折り返すようにコンタクト部１３が屈曲形成された導電板１４と、導電板１４を挿通して上下に移動可能に形成された可動片１５と、可動片１５を上方に付勢するバネ１６と、可動片１５に螺合する端子ネジ１７とを備え、端子ネジ１７はバネ１６の付勢力に抗して上方から導電板１４に螺挿可能となっている。また、ベースユニット６の上部にはこの端子ネジ１７を螺挿する際に工具を挿入するための開口部１８が形成されており、この開口部１８の右側を除く周囲には補強部１９が形成されており。この補強部１９により、ベースユニット６を所定の強度に保持することができるようになっている。
【００１８】
また、ベースユニット６の下部には、前後にそれぞれレール固定片２０が形成されており、レール固定片２０の先端にはレール１０に掛止可能なように鉤状の掛止部２１が対向するように形成されている。さらに、ベースユニット６の下部には、各レール固定片２０の近接位置にそれぞれ突起部２２が突設され、また、ベースユニット６の前側右側面には、隣接するベースユニット６の端子２のバネ１６を収容する凹部１１ａに嵌合可能なように凸部（図示省略）が形成されている。さらに、ベースユニット６の前端部に掛止凹部５５が形成されている。
【００１９】
図６に示されているように、ターミナルベース用左側エンドプレート７は、ベースユニット６の端子収容凹部１１を閉塞可能なように形成され、その前端部下側には掛止凹部２４が形成されている。また、ターミナルベース用左側エンドプレート７の下部には、前後にそれぞれレール固定片２５が形成されており、レール固定片２５の先端にはレール１０に掛止可能なように鉤状の掛止部２６が対向するように形成されている。さらに、ベースユニット６の下部には、各レール固定片２５の近接位置にそれぞれ突起部２２が嵌合可能な孔部２７が形成されている。
【００２０】
ターミナルベース用右側エンドプレート８は、ターミナルベース用左側エンドプレート７と左右対称形状を成している（図示省略）。
【００２１】
図１〜図４に示されているように、前記２極用ターミナルコネクタ５ａは、各極の端子３毎に形成されたコネクタユニット２９を２個連設すると共に、その左右両端部にそれぞれターミナルコネクタ用左側中間プレート３０及びターミナルコネクタ用右側エンドプレート３１を連設した状態で棒状ネジ（図示省略）を介して固定することにより一体化され、また、前記３極用ターミナルコネクタ５ｂは、前記コネクタユニット２９を３個連設すると共に、その左右両端部にそれぞれターミナルコネクタ用左側中間プレート３０及びターミナルコネクタ用右側中間プレート３２を連設した状態で棒状ネジ（図示省略）を介して固定することにより一体化され、また、前記９極用ターミナルコネクタ５ｃは、前記コネクタユニット２９を９個連設すると共に、その左右両端部にそれぞれターミナルコネクタ用左側エンドプレート３３及びターミナルコネクタ用右側中間プレート３２を連設した状態で棒状ネジ（図示省略）を介して固定することにより一体化され、また、前記３極用ターミナルコネクタ５ｃは、前記コネクタユニット２９を３個連設すると共に、その左右両端部にそれぞれターミナルコネクタ用左側エンドプレート３３及びターミナルコネクタ用右側中間プレート３２を連設した状態で棒状ネジ（図示省略）を介して固定することにより一体化されている。
【００２２】
図８に示されているように、コネクタユニット２９の左側面には、前記他方側の端子３を収容するための端子収容凹部３４が形成されている。そして、他方側の端子３は、前記一方側の端子２のコンタクト部１３に接触可能なように屈曲形成された導電板３５と、導電板３５を挿通して上下に移動可能に形成された可動片３６と、可動片３６を上方に付勢するバネ３７と、可動片３６に螺合する端子ネジ３８とを備え、端子ネジ３８はバネ３７の付勢力に抗して上方から導電板３５に螺挿可能となっている。また、コネクタユニット２９の上部にはこの端子ネジ３８を螺挿する際に工具を挿入するための開口部３９が形成され、この開口部３９の右側を除く周囲には補強部４０が形成されており、この補強部４０により、コネクタユニット２９を所定の強度に保持することができるようになっている。
【００２３】
また、コネクタユニット２９の後側上部には円形の通孔４１が形成されており、この通孔４１に前記棒状ネジが挿通可能となっている。さらに、コネクタユニット２９の前側下部には、突起部４２が形成され、コネクタユニット２９の前側右側面には、隣接するコネクタユニット２９の突起部４２が嵌合可能な凹部（図示省略）と、隣接するコネクタユニット２９の端子２のバネ３７を収容する凹部３４ａに嵌合可能な凸部（図示省略）とがそれぞれ形成されている。
【００２４】
図６に示されているように、ターミナルコネクタ用左側エンドプレート３３は、ターミナルベース用左側エンドプレート７に係合可能なように下端から上方にスリット孔（図示省略）が形成されていると共に、コネクタユニット２９の通孔４１に合致するように通孔４３が形成されている。また、ターミナルコネクタ用左側エンドプレート３３の上部には、庇部４４が形成され、庇部４４の左側縁部には略半円形状の切欠部４５が形成されている。さらに、庇部４４の前端から下方に向かって固定片４６が形成され、固定片４６の下端にターミナルベース用左側エンドプレート７の掛止凹部２４に掛止可能に鉤状の掛止部４７が形成されていると共に、固定片４６の上端に操作部４８が形成されており、操作部４８を押圧操作することにより掛止凹部２４に対する掛止部４７の掛止状態が解除されるようになっている。
【００２５】
また、ターミナルコネクタ用右側エンドプレート３１は、前記ターミナルコネクタ用左側エンドプレート３３の左右対称形状を成している。
【００２６】
図７に示されているように、ターミナルコネクタ用左側中間プレート３０は、一方側の端子２を備えていない１個のベースユニット６に係合可能なように下端から上方にスリット孔４９が形成されていると共に、コネクタユニット２９の通孔４１に合致するように通孔５０が形成されている。また、ターミナルコネクタ用左側中間プレート３０には、上部から前方に延出する腕部５１が形成され、腕部５１の前端から下方に向かって固定片５２が形成されている。そして、この固定片５２の下端に一方側の端子２を備えていない１個のベースユニット６の掛止凹部２８に掛止可能なように鉤状の掛止部５３が形成されていると共に、固定片５２の上端に操作部５４が形成されており、操作部５４を押圧操作することにより掛止凹部２８に対する掛止部５３の掛止状態が解除されるようになっている。
【００２７】
また、ターミナルコネクタ用右側中間プレート３２は、前記ターミナルコネクタ用左側中間プレート３０の左右対称形状を成している。
【００２８】
次に、図１及び図２を参照しつつ、上記した構成を備えた端子台１において、１４極用ターミナルベース４ａに対して、２極用ターミナルコネクタ５ａと、３極用ターミナルコネクタ５ｂと、９極用ターミナルコネクタ５ｃとに３分割されたターミナルコネクタ５を結合及び分離させる時の手順について説明する。
【００２９】
先ず、左側から順に、ターミナルベース用左側エンドプレート７、一方側の端子２を備えた９個のベースユニット６、一方側の端子２を備えていない１個のベースユニット６、一方側の端子２を備えた３個のベースユニット６、一方側の端子２を備えていない１個のベースユニット６、一方側の端子２を備えた２個のベースユニット６、及びターミナルベース用右側エンドプレート８を、レール１０にそれぞれのレール固定片２０，２５を掛止させて連結することによりターミナルベース４を固定する。
【００３０】
次に、左側から順に、ターミナルコネクタ用左側中間プレート３０、他方側の端子３を備えた２個のコネクタユニット２９、及びターミナルコネクタ用右側エンドプレート３１をそれぞれの通孔４１，５０に各棒状ネジ（図示省略）を螺挿させて連結することにより形成させた２極用ターミナルコネクタ５ａを、ターミナルベース４に対して上方から押し込むことにより、一方側の端子２を備えていないベースユニット６の掛止凹部５５（図５参照）に掛止部５３を掛止させると共に、ターミナルコネクタ用右側エンドプレート３１についても同様に掛止部を掛止凹部に掛止させて、２極用ターミナルコネクタ５ａをターミナルベース４の右側端部に接続する。これにより、２極用ターミナルコネクタ５ａの他方側の端子３はそれぞれ対応するターミナルベース４の一方側の端子２に接続される。
【００３１】
また、左側から順に、ターミナルコネクタ用左側中間プレート３０、他方側の端子３を備えた３個のコネクタユニット２９、及びターミナルコネクタ用右側中間プレート３２をそれぞれの通孔４１，５０に各棒状ネジ（図示省略）を螺挿させて連結することにより形成させた３極用ターミナルコネクタ５ｂを、ターミナルベース４に対して上方から押し込むことにより、一方側の端子２を備えていないベースユニット６の掛止凹部５５（図５参照）に掛止部５３を掛止させると共に、ターミナルコネクタ用右側中間プレート３２についても同様に掛止部を掛止凹部に掛止させて、３極用ターミナルコネクタ５ｂを２極用ターミナルコネクタ５ａの隣接位置でターミナルベース４に接続する。これにより、３極用ターミナルコネクタ５ｂの他方側の端子３はそれぞれ対応するターミナルベース４の一方側の端子２に接続される。
【００３２】
さらに、左側から順に、ターミナルコネクタ用左側エンドプレート３３、他方側の端子３を備えた９個のコネクタユニット２９、及びターミナルコネクタ用右側中間プレート３２をそれぞれの通孔４１，４３に各棒状ネジ（図示省略）を螺挿させて連結することにより形成させた９極用ターミナルコネクタ５ｃを、ターミナルベース４に対して上方から押し込むことによりターミナルベース用左側エンドプレート７の掛止凹部２４に掛止部４７を掛止させると共に、ターミナルコネクタ用右側中間プレート３２についても同様に掛止部を掛止凹部に掛止させて、９極用ターミナルコネクタ５ｃを３極用ターミナルコネクタ５ｂの隣接位置でターミナルベース４に接続する。これにより、９極用ターミナルコネクタ５ｃの他方側の端子３はそれぞれ対応するターミナルベース４の一方側の端子２に接続される。
【００３３】
一方、２極用ターミナルコネクタ５ａ、３極用ターミナルコネクタ５ｂ、及び９極用ターミナルコネクタ５ｃをターミナルベース４から取り外す場合には、ターミナルコネクタ用左側中間プレート３０の操作部５４、ターミナルコネクタ用左側エンドプレート３３の操作部４８、ターミナルコネクタ用右側エンドプレート３１の操作部、ターミナルコネクタ用右側中間プレート３２の操作部を、それぞれ押圧操作して、各ターミナルコネクタ５ａ，５ｂ，５ｃを上方に持ち上げ、掛止部と掛止凹部との掛止状態を解除させる。
【００３４】
このように上記した本発明の実施の形態に係る端子台１によれば、ターミナルベース４とターミナルコネクタ５は異なる極数の端子を有するもの同士でも結合及び分離ができるため、配線方法に柔軟性を持たせることができ、ターミナルコネクタ５側の電線を自由にアッセンブリすることができることにより、配線作業の効率化を図り、コスト削減を達成することができる。
【００３５】
なお、上記した本発明の実施の形態の説明は、本発明に係る端子台における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３６】
１          端子台
２          一方側の端子
３          他方側の端子
４          ターミナルベース
５          ターミナルコネクタ
２９        コネクタユニット
３１        ターミナルコネクタ用右側エンドプレート
３３        ターミナルコネクタ用左側エンドプレート
４６        固定片（固定手段）
５２        固定片（固定手段）
【図１】
2012064361.tif 000003
【図２】
2012064361.tif 000004
【図３】
2012064361.tif 000005
【図４】
2012064361.tif 000006
【図５】
2012064361.tif 000007
【図６】
2012064361.tif 000008
【図７】
2012064361.tif 000009
【図８】
2012064361.tif 000010